(57)【要約】〔課題〕  二段に仕切られた洋服ダンス等にかけた衣服の裾が引きずったり、折れ曲ってしわになるのをふせぐ、伸び縮みハンガーを提供する。〔解決手段〕  ハンガー本体（１）頂部に凹型窪み（２）を形成し、そこえフック（３）を通し、フック（３）の下部に止め具（４）を通し、最下部を固定具（５）で止める。止め具をスライドさせ、ハンガー本体（１）を上に押し上げて停止し、ハンガー本体（１）の位置を高く保持することができる。【選択図】      図１
2004249064.tif 000002
【特許請求の範囲】
【請求項１】
ハンガー本体（１）頂部に凹型窪み（２）を形成し、かつ中央に穴（８）を設け、この穴（８）にフック（３）を通し、フック（３）の下部に止め具（４）を通し、最下部を固定具（５）で止めた伸び縮みハンガー。
【請求項２】
ハンガー本体（１）頂部に凹型窪み（２）を、下部に二本の溝（９）を形成し、かつ中央に穴（８）を設け、この穴（８）にフック（３）を通し、フック下部にＵ字型受具（１０）を通し、最下部を固定具（５）で止めた伸び縮みハンガー。
【発明の詳細な説明】
【０００１】
〔発明の属する技術分野〕
本発明は、二段に仕切られた洋服ダンスや、高さに制限のある場所で、上着の裾が引きずったり、折れ曲ってしわになるのをふせぐ伸び縮みハンガーに関するものである。
【０００２】
〔従来の技術〕
従来よりハンガーを使用すると、二段に仕切られた洋服ダンスや、高さに制限のある場所では上着の裾が引きずったり、折れ曲ってしわになった。
【０００３】
〔発明が解決しようとする課題〕
従来よりハンガーを使用すると、二段に仕切られた洋服ダンスや、高さに制限のある場所では上着の裾が引きずったり、折れ曲ってしわになり、収納しずらかった。又、しわをとるためのアイロンがけが煩わしかった。
【０００４】
〔課題を解決するための手段〕
本発明の要旨とするところは、ハンガー本体（１）頂部に凹型窪み（２）を形成し、かつ中央に穴（８）を設け、この穴（８）にフック（３）を通し、フック（３）の下部に止め具（４）を通してから、最下部を固定具（５）で止めることにある。
また、本発明の要旨とするところは、ハンガー本体（１）頂部に凹型窪み（２）を、下部に二本の平行な溝（９）を形成し、かつ中央に穴（８）を設け、この穴（８）にフック（３）を通し、フック（３）の下部にＵ字型受具（１０）を通し最下部を固定具（５）で止めることにある。
【０００５】
〔発明の実施の形態〕
以下、本発明の実施の形態を説明する。
本発明の第１の実施の形態は次のとおりである。
図１及び図３に示すように、ハンガー本体（１）頂部に凹型窪み（２）を形成する。そして、フック（３）の中央部に複数の溝（６）と、最下部にネジ山（７）を切る。
ハンガー本体（１）中央に穴（８）を設け、ここにフック（３）を通し、フック（３）の下部に止め具（４）を通してから最下部をネジによる固定具（５）で止める。
【０００６】
本発明の第２の実施の形態は次の通りである。
ハンガー本体（１）頂部に凹型窪み（２）を、下部に二本の平行な溝（９）を形成する。
フック（３）の最下部にネジ山（７）を切る。
ハンガー本体（１）中央に穴（８）を設け、ここにフック（３）を通し、フック（３）の下部にＵ字型受具（１０）を通してから、最下部をネジによる固定具（５）で止める。
【０００７】
本発明を使用するときは、図１に示すように、止め具（４）をフック（３）の下方に移動させるとフック（３）が上下動可能となり、従来のハンガーと同じようにパイプ（１１）にかけることが出来る。
その後、図２（Ａ）に示すように、パイプ（１１）にかけたフック（３）を押さえ、止め具（４）を上方にスライドさせながらハンガー本体（１）を上に押し上げ、複数の溝（６）の内の何れかに停止させる。このとき上記凹型窪み（２）にフック（３）の上部の湾曲部が入るため、ハンガー本体（１）はより高い位置に押し上げられ、かつ固定されるのである。
このように、ハンガー本体（１）を上方に押し上げた状態でパイプ（１１）にかけて衣服（図示せず）を収納できる。
そのため、図２（Ｂ）に示すような従来のハンガー本体（１３）を使用した場合に比べ、高さ（Ｈ）だけ高い位置に衣服を収納することができる。
【０００８】
このとき、止め具（４）は、図４に示すように、内部に中央孔（４４）を設けた略球状の止め具本体（４１）の内壁にバネ（４３）の一端を固定し、このバネ（４３）の他端にプッシュボタン（４２）の先端をとりつける。
このプッシュボタン（４２）は、止め具本体（４１）の側部に構成した穴（４６）に挿通して配置されていて、後端は止め具本体（４１）の外部に突出している。
使用するときは、プッシュボタン（４２）を図４の左側に、バネ（４３）の弾発力に抗して移動させて、孔（４５）を止め具（４）の中央孔（４４）と一致させてから、この孔（４５）にフック（３）をとおす。
その後、プッシュボタンを押したまま、止め具（４）をフック（３）上の複数の溝（６）の内の何れかの位置まで移動させて、プッシュボタン（４２）を離すと、バネ（４３）の弾発力でプッシュボタン（４２）が図４の右側に移動して、フック（３）は止め具本体（４１）とプッシュボタン（４２）にはさまれて固定することになる。
このように止め具（４）を複数の溝（６）の内の何れかに停止させることで、上着をかけたハンガーの重量に耐えるのである。
【０００９】
図５に示すように、Ｕ字型受具（１０）を縦向きにして、ハンガー本体（１）をはさむようにするとフック（３）が上下動可能になり、従来のハンガーと同じようにパイプにかけることが出来る。
この状態から、ハンガー本体（１）を上方にスライドさせ、Ｕ字型受具（１０）を横向きにして、ハンガー本体（１）下部の二本の平行な溝（９）に上記Ｕ字型受具（１０）の両上端部を入れて、Ｕ字型受具（１０）を固定するのである。
これにより、ハンガー本体（１）が上方位置に固定されて図６の状態となる。
なお、Ｕ字型受具（１０）の下方に安定部材（１２）を設け、これにフック（３）を通すことによって、Ｕ字型受具（１０）の揺動が防止され、安定するのである。
Ｕ字型受具（１０）は、例えば帯状金属板を折り曲げて形成できる。
硬質プラスチック等でもよい。
なお、図２で示した第１の実施形態と従来例との比較は、本実施形態も同様である。
【０００１０】
〔発明の効果〕
本発明を使用することによって、ハンガー本体を上方位置で固定した状態で衣服をかけることができるため、上着の裾が引きずったり、折れ曲ってしわになることがなくなり、アイロンがけの手間がはぶける。
生地を痛めることもなく、すっきりと収納出来る。
【図面の簡単な説明】
【図１】本発明の第１の実施形態の、ハンガー本体が下方にあるときの正面図である。
【図２】本発明の第１の実施形態と、従来例との比較説明図である。
【図３】本発明の第１の実施形態の分解斜視図である。
【図４】本発明の第１の実施形態に係る止め具の拡大の断面図である。
【図５】本発明の第２の実施形態の、ハンガー本体が下方にあるときの斜視図である。
【図６】本発明の第２の実施形態の、ハンガー本体が上方にあるときの正面図である。
【図７】本発明の第２の実施形態の、分解斜視図である。
【符号の説明】
１  ハンガー本体
２  凹型窪み
３  フック
４  止め具
５  固定具
６  複数の溝
７  ネジ山
８  穴
９  二本の平行な溝
１０  Ｕ字型受具
１１  パイプ
１２  安定部材
１３  従来のハンガー本体
４１  止め具本体
４２  プッシュボタン
４３  バネ
４４  中央孔
４５  孔
４６  側部に構成した穴
【図１】
2004249064.tif 000003
【図２】
2004249064.tif 000004
【図３】
2004249064.tif 000005
【図４】
2004249064.tif 000006
【図５】
2004249064.tif 000007
【図６】
2004249064.tif 000008
【図７】
2004249064.tif 000009